(57)【要約】【課題】標識支柱を柵支柱に簡単かつ確実に取り付けることができる標識支柱取付具を提供する。【解決手段】標識支柱２を保持する標識支柱バンド１１と、標識支柱バンド１１を柵支柱３に対して固定する固定部材１２とを有している。標識支柱バンド１１は、一対の標識緊締部１１Ａを有し、標識緊締部１１Ａの一端側には一対の標識突片１１Ｂが延設され、固定部材１２の一端側に固定される。固定部材１２の他端側は、柵支柱３の防護部材取付ボルト３Ａにより柵支柱３に固定される。【選択図】図２
0003204444.tif 000002
【実用新案登録請求の範囲】
【請求項１】
標識支柱を防護柵の柵支柱に取り付けるための標識支柱取付具であって、
上下方向において間隔を開けて配設された第１取付具と、第２取付具とを備え、
前記第１取付具及び前記第２取付具のうちの少なくとも一方は、前記標識支柱を保持する標識支柱バンドと、この標識支柱バンドを柵支柱に対して固定する固定部材とを有し、
前記標識支柱バンドは、一対の相対する半円状の標識緊締部を有し、この一対の標識緊締部は、一端側が互いに接近又は離間するように他端側において回動可能に接合され、一端側には標識固定ボルト孔が設けられた標識突片が相対してそれぞれ延設されており、
前記標識固定ボルト孔は、前記標識突片の突出方向に２個並べて設けられ、
前記固定部材の一端側には、前記標識固定ボルト孔に対応して接合孔が設けられ、前記固定部材の一端側は、前記標識突片と重ねて前記標識固定ボルト孔及び前記接合孔に標識固定ボルトを貫通させることにより前記標識支柱バンドに固定され、
前記固定部材の他端側には、前記柵支柱の防護部材取付ボルトを挿入するための柵支柱ボルト孔が設けられ、前記固定部材の他端側は、前記防護部材取付ボルトを利用して前記柵支柱に固定される
ことを特徴とする標識支柱取付具。
【請求項２】
前記柵支柱ボルト孔は、前記防護部材取付ボルトを前記固定部材の側部又は端部から挿入できるように、前記固定部材の側部又は端部から切り込まれて形成されたことを特徴とする請求項１記載の標識支柱取付具。
【考案の詳細な説明】
【技術分野】
【０００１】
本考案は、道路に設置されたガードレール又はガードケーブル等の防護柵の柵支柱に視線誘導標等の標識支柱を取付けるための標識支柱取付具に関する。
【背景技術】
【０００２】
一般に、道路に設置されたガードレール又はガードケーブル等の防護柵の柵支柱には、視線誘導標、距離標、非常電話案内標識、又は、投排雪禁止標識等の標識支柱が取り付けられている。標識支柱を柵支柱に取り付ける際には、例えば、図５に示したような親子バンド１００が用いられている。この親子バンド１００は、標識支柱を保持する標識支柱バンド１１０と、柵支柱に配設する柵支柱バンド１２０とを備えている。標識支柱バンド１１０は、開環状のバンド１１１であり、その開口縁に突片１１２が相対して外方に延設されている。柵支柱バンド１２０は、両端部に締付片１２１を有する一対の半円状バンド１２２である。この親子バンド１００は、例えば、柵支柱を柵支柱バンド１２０で挟み、一端側の締付片１２１をボルト１３０により締付固定すると共に、標識支柱バンドで標識支柱を挟み、突片１１２と他端側の締付片１２１とを重ねてボルト１３０により締付固定することにより、標識支柱を柵支柱に配設するようになっている。
【先行技術文献】
【特許文献】
【０００３】
【特許文献１】特開２００７−３２６１５４号公報
【考案の概要】
【考案が解決しようとする課題】
【０００４】
この親子バンド１００は、部品点数も少なく、簡単に取り付けることができるという利点があるが、その一方で、経年によりボルト１３０が緩みやすく、柵支柱バンド１２０が柵支柱の周りで回ってしまうという問題があった。これは、標識支柱バンド１１０の締め付けと、柵支柱バンド１２０の締め付けとを同一のボルト１３０で行っているために、負荷がかかりやすく、ボルト１３０が緩んでしまうのではないかと考えられる。
【０００５】
本考案は、このような問題に基づきなされたものであり、標識支柱を柵支柱に簡単に取り付けることができ、かつ、緩みの発生を抑制することができる標識支柱取付具を提供することを目的とする。
【０００６】
なお、特許文献１には、標識支柱緊締具と柵支柱緊締具と接続具とを備え、標識支柱緊締具及び柵支柱緊締具はそれぞれ一対の相対する半円状のバンド片からなり、対をなすバンド片は一端部が互いに係合されると共に他端部にボルト孔を有する脚片が相対して延設されており、接続具は一対の挿通孔が並設された短筒状であり、柵支柱緊締具の脚片が接続具の一方の挿通孔に挿通され、標識支柱緊締具の脚片が接続具の他方の挿通孔に逆方向から挿通されて、ボルトにより貫通固定される標識支柱取付具が記載されている。しかし、本願考案とは特許文献１に記載の標識支柱取付具とでは、具体的な構成が全く異なっている。
【課題を解決するための手段】
【０００７】
本考案の標識支柱取付具は、標識支柱を防護柵の柵支柱に取り付けるためのものであって、上下方向において間隔を開けて配設された第１取付具と、第２取付具とを備え、第１取付具及び第２取付具のうちの少なくとも一方は、標識支柱を保持する標識支柱バンドと、この標識支柱バンドを柵支柱に対して固定する固定部材とを有し、標識支柱バンドは、一対の相対する半円状の標識緊締部を有し、この一対の標識緊締部は、一端側が互いに接近又は離間するように他端側において回動可能に接合され、一端側には標識固定ボルト孔が設けられた標識突片が相対してそれぞれ延設されており、標識固定ボルト孔は、標識突片の突出方向に２個並べて設けられ、固定部材の一端側には、標識固定ボルト孔に対応して接合孔が設けられ、固定部材の一端側は、標識突片と重ねて標識固定ボルト孔及び接合孔に標識固定ボルトを貫通させることにより標識支柱バンドに固定され、固定部材の他端側には、柵支柱の防護部材取付ボルトを挿入するための柵支柱ボルト孔が設けられ、固定部材の他端側は、防護部材取付ボルトを利用して柵支柱に固定されるものである。
【考案の効果】
【０００８】
本考案の標識支柱取付具によれば、標識支柱バンドは、一対の半円状の標識緊締部を他端側において接合し、一端側に延設された標識突片を固定部材に対して標識固定ボルトにより固定するようにしたので、標識固定ボルトにかかる負荷を小さくすることができ、標識固定ボルトを緩みにくくすることができる。また、標識固定ボルト孔を標識突片の突出方向に２個並べて設けるようにしたので、より強固に固定することができる。更に、固定部材を柵支柱に対して防護部材取付ボルトを利用して固定するようにしたので、より強固に固定することができる。よって、簡単に標識支柱を柵支柱に取り付けることができると共に、標識支柱取付具に緩みが発生することを抑制することができる。
【０００９】
加えて、柵支柱ボルト孔を固定部材の側部又は端部から切り込んで形成するようにすれば、防護部材取付ボルトを引き抜かなくても、緩めるだけで簡単に取り付けることができる。
【図面の簡単な説明】
【００１０】
【図１】本考案の第１の実施の形態に係る標識支柱取付具の構成を表す図である。
【図２】図１に示した第１取付具の構成を表す図である。
【図３】本考案の第２の実施の形態に係る標識支柱取付具の第１取付具の構成を表す図である。
【図４】本考案の第２の実施の形態に係る標識支柱取付具の第２取付具の構成を表す図である。
【図５】従来の標識支柱取付具の構成を表す図である。
【考案を実施するための形態】
【００１１】
以下、本考案の実施の形態について、図面を参照して詳細に説明する。
【００１２】
（第１の実施の形態）
図１は、本考案の第１の実施の形態に係る標識支柱取付具１の構成を表すものである。この標識支柱取付具１は、標識支柱２を防護柵の柵支柱３に取り付けるものであり、本実施の形態では、防護柵がガードケーブルである場合について説明する。この標識支柱取付具１は、標識支柱２及び柵支柱３の上下方向において間隔を開けて配設された第１取付具１０と、第２取付具２０とを備えている。第１取付具１０と第２取付具２０の構成は同一である。よって、第２取付具２０については、第１取付具１０と同一の構成要素に十の位を「２」に変えた符号を付し、その詳細な説明を省略する。
【００１３】
図２は、第１取付具１０の構成を表すものである。図２（Ａ）は水平方向の断面構造を表し、図２（Ｂ）は柵支柱３への固定構造を表している。第１取付具１０は、標識支柱２を保持する標識支柱バンド１１と、この標識支柱バンド１１を柵支柱２に対して固定する固定部材１２とを有している。標識支柱バンド１１は、一対の相対する半円状の標識緊締部１１Ａを有している。この一対の標識緊締部１１Ａは、一端側が互いに接近又は離間するように他端側において蝶番等により回動可能に接合されている。
【００１４】
各標識緊締部１１Ａの一端側には、一対の標識突片１１Ｂが相対してそれぞれ延設されている。各標識突片１１Ｂには、標識固定ボルト１３を挿入するための標識固定ボルト孔１１Ｃがそれぞれ対応して設けられている。各標識突片１１Ｂを重ね合わせて標識固定ボルト１３で固定することにより、標識支柱バンド１１は標識支柱２を保持するようになっている。標識固定ボルト孔１１Ｃは、各標識突片１１Ｂにおいて、標識突片１１Ｂの突出方向に２個並べて設けられている。突片１１Ｂの突出方向に２個設けることにより、１個設ける場合及び縦に２個並べて設ける場合に比べて、より強固に固定することができるからである。
【００１５】
なお、各標識緊締部１１Ａには、例えば、周方向に沿って、外側に突出するように設けられた突状部１１Ｄが少なくとも１つ設けられていることが好ましい。強度を向上させることができるからである。
【００１６】
固定部材１２は、例えば、板状部材により構成されている。本実施の形態では、固定部材は一端側と多端側との間でＬ字状に折り曲げられている。固定部材１２の一端側には、標識固定ボルト孔１１Ｃに対応して２個の接合孔１２Ａが設けられている。固定部材１２の一端側は、各標識突片１１Ｂと重ねて標識固定ボルト孔１１Ｃ及び接合孔１２Ａに標識固定ボルト１３を貫通させることにより標識支柱バンド１１に固定される。
【００１７】
固定部材１２の他端側には、柵支柱３の防護部材取付ボルト３Ａを挿入するための柵支柱ボルト孔１２Ｂが設けられており、固定部材１２の他端側は、防護部材取付ボルト３Ａにより柵支柱３に固定することができるようになっている。なお、防護部材取付ボルト３Ａは、柵支柱３にケーブル３Ｂのブラケット３Ｃを取り付けるためのものである。柵支柱ボルト孔１２Ｂは、例えば、防護部材取付ボルト３Ａを固定部材１２の側部又は端部から挿入できるように、固定部材１２の側部又は端部から切り込まれて形成されていることが好ましい。なお、図２（Ｂ）では、柵支柱ボルト孔１２Ｂを側部から切り込んで設けた場合について示している。
【００１８】
この標識支柱取付具１は、例えば、次のようにして取り付ける。まず、標識支柱バンド１１の一対の標識緊締部１１Ａを開き、間に標識支柱２を挟んで閉じ、一対の標識突片１１Ｂを重ね合わせる。次いで、標識突片１１Ｂの一方に固定部材１２の一端側を重ねて、標識固定ボルト孔１１Ｃ及び接合孔１２Ａに標識固定ボルト１３を挿入して固定する。続いて、例えば、柵支柱３の防護部材取付ボルト３Ａを緩め、その隙間に第１取付具１０の固定部材１２を差し込んで柵支柱ボルト孔１２Ｂに防護部材取付ボルト３Ａを挿入する。その後、防護部材取付ボルト３Ａを締めて固定部材１２を柵支柱３に固定する。これにより、標識支柱２を柵支柱３に取り付ける。
【００１９】
このように本実施の形態によれば、標識支柱バンド１１は、一対の半円状の標識緊締部１１Ａを他端側において接合し、一端側に延設された標識突片１１Ｂを固定部材１２に対して標識固定ボルト１３により固定するようにしたので、標識固定ボルト１３にかかる負荷を小さくすることができ、標識固定ボルト１３を緩みにくくすることができる。また、標識固定ボルト孔１１Ｃを標識突片１１Ｂの突出方向に２個並べて設けるようにしたので、より強固に固定することができる。更に、固定部材１２を柵支柱３に対して防護部材取付ボルト３Ａを利用して固定するようにしたので、より強固に固定することができる。よって、簡単に標識支柱２を柵支柱３に取り付けることができると共に、標識取付具１に緩みが発生することを抑制することができる。
【００２０】
加えて、柵支柱ボルト孔１２Ｂを固定部材１２の側部又は端部から切り込んで形成するようにすれば、防護部材取付ボルト３Ａを引き抜かなくても、緩めるだけで簡単に取り付けることができる。
【００２１】
（第２の実施の形態）
本実施の形態では、防護柵がガードレールの場合について説明する。本実施の形態に係る標識支柱取付具は、第１の実施の形態と同様に、標識支柱２を防護柵の柵支柱３に取り付けるものであり、標識支柱２及び柵支柱３の上下方向において間隔を開けて配設された第１取付具３０と、第２取付具４０とを備えている。
【００２２】
図３は、第１取付具３０の構成を表すものである。第１取付具３０は、柵支柱３の上側に取り付けられるものであり、第１の実施の形態における第１取付具１０とは、固定部材３２が折り曲げられずに平板状とされていることを除き、同一の構成を有している。よって、第１の実施の形態と同一の構成要素には、十の位を「３」に変えた符号を付し、その詳細な説明は省略する。なお、本実施の形態において、防護部材取付ボルト３Ａは、柵支柱３にレール３Ｄを取り付けるためのものである。また、図３（Ｂ）では、柵支柱ボルト孔３２Ｂを端部から切り込んで設けた場合について示している。
【００２３】
図４は、第２取付具４０の構成を表すものである。第２取付具４０は、柵支柱３の下側に取り付けられるものであり、標識支柱２を保持する標識支柱バンド４１と、柵支柱３に固定される柵支柱バンド４２と、標識支柱バンド４１と柵支柱バンド４２とを連結する連結部材４３とを有している。ガードレールの場合、柵支柱３の下側には防護部材取付ボルト３Ａが配設されていないので、第１取付具３０のように、直接、固定部材３２により柵支柱３に取り付けることができないからである。
【００２４】
標識支柱バンド４１は、第１取付具３０の標識支柱バンド３１と同一の構成を有している。よって、同一の構成要素には、十の位を「４」に変えた符号を付し、その詳細な説明は省略する。この標識支柱バンド４１は、各標識突片４１Ｂを重ね合わせて標識固定ボルト４４で固定することにより標識支柱２に固定される。
【００２５】
柵支柱バンド４２は、一対の相対する半円状の柵緊締部４２Ａを有している。この一対の柵緊締部４２Ａは、一端側が互いに接近又は離間するように他端側において蝶番等により回動可能に接合されている。各柵緊締部４２Ａの一端側には、一対の柵突片４２Ｂが相対してそれぞれ延設されている。各柵突片４２Ｂには、柵固定ボルト４５を挿入するための柵固定ボルト孔４２Ｃがそれぞれ対応して設けられ、各柵突片４２Ｂを重ね合わせて柵固定ボルト４５で固定することにより、柵支柱バンド４２は柵支柱３に固定されるようになっている。柵固定ボルト孔４２Ｃは、各柵突片４２Ｂにおいて、柵突片４２Ｂの突出方向に２個並べて設けられている。柵突片４２Ｂの突出方向に２個設けることにより、より強固に固定することができるからである。
【００２６】
連結部材４３は、例えば、板状部材により構成されている。連結部材４３の一端側には、標識固定ボルト孔４１Ｃに対応して２個の第１連結孔４３Ａが設けられている。連結部材４３の一端側は、各標識突片４１Ｂと重ねて標識固定ボルト孔４１Ｃ及び第１連結孔４３Ａに標識固定ボルト４４を貫通させることにより標識支柱バンド４１に固定される。連結部材４３の他端側には、柵固定ボルト孔４２Ｃに対応して２個の第２連結孔４３Ｂが設けられている。連結部材４３の他端側は、各柵突片４２Ｂの間に挿入し、柵固定ボルト孔４２Ｃ及び第２連結孔４３Ｂに柵固定ボルト４５を貫通させることにより柵支柱バンド４２に固定される。
【００２７】
この標識支柱取付具は、例えば、次のようにして取り付ける。第１取付具３０は、第１の実施の形態と同様にして標識支柱２及び柵支柱３に取り付ける。第２取付具４０は、例えば、まず、一対の標識緊締部４１Ａの間に標識支柱２を挟み、一対の標識突片４１Ｂを重ね合わせると共に、標識突片４１Ｂの一方に連結部材４３の一端側を重ねて、標識固定ボルト孔４１Ｃ及び第１連結孔４３Ａに標識固定ボルト４４を挿入して固定する。次いで、例えば、一対の柵緊締部４２Ａの間に柵支柱３を挟み、一対の柵突片４２Ｂの間に連結部材４３の他端側を挿入して重ね合わせ、柵固定ボルト孔４２Ｃ及び第２連結孔４３Ｂに柵固定ボルト４５を挿入して固定する。これにより、標識支柱２を柵支柱３に取り付ける。
【００２８】
このように構成しても、第１の実施の形態と同様の効果を得ることができる。また、第２取付具４０において、標識支柱バンド４１と柵支柱バンド４２とを連結部材４３に対してそれぞれ固定するようにしたので、より強固に固定することができる。
【００２９】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００３０】
１…標識支柱取付具、２…標識支柱、３…柵支柱、３Ａ…防護部材取付ボルト、３Ｂ…ケーブル、３Ｃ…ブラケット、３Ｄ…レール、１０…第１取付具、１１…標識支柱バンド、１１Ａ…標識緊締部、１１Ｂ…標識突片、１１Ｃ…標識固定ボルト孔、１１Ｄ…突状部、１２…固定部材、１２Ａ…接合孔、１２Ｂ…柵支柱ボルト孔、１３…標識固定ボルト、２０…第２取付具、２１…標識支柱バンド、２１Ａ…標識緊締部、２１Ｂ…標識突片、２１Ｃ…標識固定ボルト孔、２１Ｄ…突状部、２２…固定部材、２２Ａ…接合孔、２２Ｂ…柵支柱ボルト孔、２３…標識固定ボルト、３０…第１取付具、３１…標識支柱バンド、３１Ａ…標識緊締部、３１Ｂ…標識突片、３１Ｃ…標識固定ボルト孔、３１Ｄ…突状部、３２…固定部材、３２Ａ…接合孔、３２Ｂ…柵支柱ボルト孔、３３…標識固定ボルト、４０…第２取付具、４１…標識支柱バンド、４１Ａ…標識緊締部、４１Ｂ…標識突片、４１Ｃ…標識固定ボルト孔、４１Ｄ…突状部、４２…柵支柱バンド、４２Ａ…柵緊締部、４２Ｂ…柵突片、４２Ｃ…柵固定ボルト孔、４３…連結部材、４３Ａ…第１連結孔、４３Ｂ…第２連結孔、４４…標識固定ボルト、４５…柵固定ボルト
【図１】
0003204444.tif 000003
【図２】
0003204444.tif 000004
【図３】
0003204444.tif 000005
【図４】
0003204444.tif 000006
【図５】
0003204444.tif 000007